(57)【要約】【課題】紙の欠陥部位を除去した部位を簡単に塞ぐとともに、紙の補修部位を目立ち難くすることができる巻取り紙の補修方法を提供することを課題とする。【解決手段】  紙１０がロール状に巻き付けられた巻取り紙１の補修方法であって、最外周層の紙１０の欠陥部位の内側に下敷き板５０を配置する段階と、巻取り紙１の外側から欠陥部位を切り抜いて、紙１０に切り抜き穴１２を形成する段階と、補修用紙２０を紙１０の外面に貼り付けて、補修用紙２０によって切り抜き穴１２を塞ぐ段階と、を備えている。【選択図】図３
2015040355.tif 000002
【特許請求の範囲】
【請求項１】
紙がロール状に巻き付けられた巻取り紙の補修方法であって、
最外周層の前記紙の欠陥部位の内側に下敷き板を配置する段階と、
前記巻取り紙の外側から前記欠陥部位を切り抜いて、前記紙に切り抜き穴を形成する段階と、
補修用紙を前記紙の外面に貼り付けて、前記補修用紙によって前記切り抜き穴を塞ぐ段階と、を備えていることを特徴とする巻取り紙の補修方法。
【請求項２】
前記補修用紙は円形または楕円形に形成されていることを特徴とする請求項１に記載の巻取り紙の補修方法。
【請求項３】
前記補修用紙を前記紙に貼り付ける段階において、
前記切り抜き穴の周囲に環状のシールを貼り付けた後に、
前記補修用紙を前記シールの外面に貼り付けることを特徴とする請求項１または請求項２に記載の巻取り紙の補修方法。
【請求項４】
前記シールの内径は、前記切り抜き穴の内径よりも０．１〜６ｍｍ大きく形成され、
前記シールの外径は、前記補修用紙の外径よりも０．１〜６ｍｍ小さく形成されていることを特徴とする請求項３に記載の巻取り紙の補修方法。
【請求項５】
紙がロール状に巻き付けられた巻取り紙であって、
前記紙の外面に貼り付けられた補修用紙によって、前記紙の切り抜き穴が塞がれていることを特徴とする巻取り紙。
【請求項６】
前記補修用紙は円形または楕円形に形成されていることを特徴とする請求項５に記載の巻取り紙。
【発明の詳細な説明】
【技術分野】
【０００１】
本発明は、巻取り紙の補修方法および巻取り紙に関する。
【背景技術】
【０００２】
輪転印刷機によって新聞用紙に印刷する場合には、図５に示すように、新聞用紙である紙１０をリール２に巻き付けた巻取り紙１００が用いられている。この巻取り紙１００では、異物の混入した部位や穴が開いた部位などの欠陥部位を除去する必要がある。
【０００３】
従来、巻取り紙１００の欠陥部位を除去する場合には、欠陥部位を含むように最外周層の紙１０を全幅に亘って切除している。これにより、巻取り紙１００の紙１０が途中で切り離されるため、紙１０の端部同士をテープ１２０によって貼り合わせている（例えば、非特許文献１参照）。
【先行技術文献】
【非特許文献】
【０００４】
【非特許文献１】「新聞巻取紙団体規格」  日本製紙連合会  新聞用紙委員会  日本新聞協会  資材委員会  平成１２年１０月  ｐ．３
【発明の概要】
【発明が解決しようとする課題】
【０００５】
図５に示すように、紙１０の端部同士を貼り合わせる継手方法では、紙１０の端部同士の位置合わせが難しいという問題がある。また、紙１０の端部同士の重ね代が大きいため、紙１０の補修部位に皺が生じ易いとともに、紙１０の補修部位が目立つという問題がある。
【０００６】
本発明は、前記した問題を解決し、紙の欠陥部位を除去した部位を簡単に塞ぐとともに、紙の補修部位を目立ち難くすることができる巻取り紙の補修方法および巻取り紙を提供することを課題とする。
【課題を解決するための手段】
【０００７】
前記課題を解決するため、本発明は、紙がロール状に巻き付けられた巻取り紙の補修方法であって、まず、最外周層の前記紙の欠陥部位の内側に下敷き板を配置する段階を備えている。また、前記巻取り紙の外側から前記欠陥部位を切り抜いて、前記紙に切り抜き穴を形成する段階と、補修用紙を前記紙の外面に貼り付けて、前記補修用紙によって前記切り抜き穴を塞ぐ段階と、を備えている。
【０００８】
本発明の他の構成としては、紙がロール状に巻き付けられた巻取り紙であって、前記紙の外面に貼り付けられた補修用紙によって、前記紙の切り抜き穴が塞がれている。
【０００９】
本発明では、巻取り紙の紙から欠陥部位を切り抜いているため、巻取り紙の紙をロール状に連続させたままで欠陥部位を除去することができる。また、紙の欠陥部位を除去するために必要な最小限の領域が切り抜かれているため、紙の補修部位を小さくすることができる。したがって、紙の欠陥部位を除去した部位を簡単に塞ぐとともに、紙の補修部位を目立ち難くすることができる。
また、補修用紙は紙の外面のみに貼り付けられるため、紙の厚さの変化を小さくすることができる。したがって、巻取り紙に印刷したときに、補修部位とその他の紙面とで色の濃さに差が生じるのを防ぐことができ、巻取り紙の印刷品質の劣化を抑えることができる。
【００１０】
前記補修用紙は円形または楕円形に形成することが望ましい。この構成では、角部を有する四角形や三角形などの形状の補修用紙に比べて、補修用紙の外周縁部の一部に応力が集中し難いため、補修用紙の外周縁部が紙から剥がれ難くなる。
【００１１】
前記補修用紙を前記紙に貼り付ける段階において、前記切り抜き穴の周囲に環状のシールを貼り付けた後に、前記補修用紙を前記シールの外面に貼り付けることが望ましい。
この構成では、切り抜き穴、シールおよび補修用紙の芯合わせを正確に行うことができるため、切り抜き穴および補修用紙からシールがはみ出してしまうのを防ぐことができる。
【００１２】
前記シールの内径を前記切り抜き穴の内径よりも０．１〜６ｍｍ大きく形成し、前記シールの外径を前記補修用紙の外径よりも０．１〜６ｍｍ小さく形成することで、切り抜き穴および補修用紙からシールがはみ出してしまうのを防ぐことが望ましい。
【発明の効果】
【００１３】
本発明では、巻取り紙の紙から欠陥部位を切り抜いているため、紙の欠陥部位を除去した部位を簡単に塞ぐとともに、紙の補修部位を目立ち難くすることができる。
また、補修用紙は紙の外面のみに貼り付けられるため、紙の厚さの変化を小さくすることができ、巻取り紙の印刷品質の劣化を抑えることができる。
【図面の簡単な説明】
【００１４】
【図１】本実施形態の補修方法を示した図で、（ａ）は巻取り紙を巻き直している状態の斜視図、（ｂ）は巻取り側のリールを固定した状態で、巻取り紙を繰り出した状態の斜視図である。
【図２】本実施形態の補修方法を示した図で、（ａ）は下敷き板を配置した状態の斜視図、（ｂ）は紙の切断位置を示した斜視図である。
【図３】本実施形態の補修方法を示した図で、（ａ）は切り抜き穴の斜視図、（ｂ）は紙に補修用紙を貼り付ける前の状態の斜視図、（ｃ）は紙に補修用紙を貼り付けた状態の斜視図である。
【図４】本実施形態の補修方法を示した図で、補修用紙を紙に貼り付けた後に、巻取り紙の弛みを取った状態の斜視図である。
【図５】従来の巻取り紙を示した斜視図である。
【発明を実施するための形態】
【００１５】
本発明の実施形態について、適宜図面を参照しながら詳細に説明する。
本実施形態の巻取り紙１は、図１（ａ）に示すように、新聞用紙である紙１０をリール２に対してロール状に巻き付けたものである。
【００１６】
巻取り紙１では、異物が混入した部位や穴が開いた部位など、製品に適していない欠陥部位１１を紙１０から除去する必要がある。
紙１０の欠陥部位１１は、紙１０の製造工程における欠陥部位の位置情報と、リール２に巻き付けられた紙１０の表面の手触りとによって探し出すことができる。
【００１７】
次に、巻取り紙１の紙１０から欠陥部位１１を除去し、その除去した部位を塞いで補修する補修方法について説明する。
【００１８】
図１（ａ）に示すように、リール２に巻き付けられた原反から紙１０をリール３に巻き直す。このとき、紙１０の欠陥部位１１が探し出された場合には、巻取り紙１の回転を停止する。
【００１９】
そして、図１（ｂ）に示すように、リール３を固定した状態で、巻取り紙１を繰り出して、欠陥部位１１を巻取り紙１の最外周層の上部に配置する。これにより、巻取り紙１とリール３との間で紙１０が弛んだ状態となる。
【００２０】
続いて、図２（ａ）に示すように、最外周層の紙１０の欠陥部位１１の内側に下敷き板５０を配置する。このとき、巻取り紙１は、リール３を固定した状態で繰り出されており、最外周層の紙１０の巻き付け力が低下しているため、最外周層の紙１０とその下層の紙１０との間に下敷き板５０をスムーズに挿入することができる。
【００２１】
また、中心針の周囲を円周移動可能な刃部を有するコンパス型のカッタを紙１０の外側に配置する。そして、カッタの中心針および刃部を最外周層の紙１０の外面に押し当て、図２（ｂ）に示すように、欠陥部位１１を中心として刃部を円周移動させることで、切断線Ｌが形成される。
これにより、欠陥部位１１を含む円形の領域が紙１０から切り抜かれ、図３（ａ）に示すように、紙１０に円形の切り抜き穴１２が形成される。なお、刃部は下敷き板５０に当たるため、最外周層の紙１０のみが切り抜かれる。
また、図１（ｂ）に示すように、欠陥部位１１は巻取り紙１の上部に配置されているため、欠陥部位１１を切り抜く作業を行い易くなっている。
【００２２】
なお、本実施形態では、コンパス型のカッタを用いているが、円筒状の刃部を有するカッタを用いてもよい。この構成では、刃部が欠陥部位１１を囲むように、刃部を最外周層の紙１０の外面に押し当てることで、欠陥部位１１を切り抜くことができる。
【００２３】
また、図３（ｃ）に示すように、切り抜き穴１２を塞ぐための補修用紙２０を用意する。補修用紙２０は紙１０と同質および同厚の紙を用いて形成されている。補修用紙２０は円形に形成されており、その外径は切り抜き穴１２の内径よりも大きく形成されている。
【００２４】
補修用紙２０は、環状のシール３０によって紙１０の外面に貼り付けられる。シール３０は熱融着性のシールである。
シール３０の外径は、補修用紙２０の外径よりも僅かに小さく形成されている。したがって、シール３０の外周縁部は、補修用紙２０の外周縁部よりも内側に配置される。また、シール３０の内径は、切り抜き穴１２の内径よりも大きく形成されている。
具体的には、シール３０の内径は、切り抜き穴１２の内径よりも０．１〜６ｍｍ大きく形成され、シール３０の外径は、補修用紙２０の外径よりも０．１〜６ｍｍ小さく形成されていることが望ましい。さらに、シール３０の内径は、切り抜き穴１２の内径よりも１〜４ｍｍ大きく形成され、シール３０の外径は、補修用紙２０の外径よりも１〜４ｍｍ小さく形成されていることがより望ましい。このように、補修用紙２０が紙１０に接着されない余白部位の大きさを設定することで、紙１０に印刷したときに、補修用紙２０の余白部位がめくれたり切れたりするのを効果的に防ぐことができる。
【００２５】
補修用紙２０を紙１０の外面に貼り付ける場合には、まず、図３（ｂ）に示すように、切り抜き穴１２を囲むように、シール３０を紙１０の外面に配置し、シール３０を紙１０の外面に対してアイロン等の加熱装置によって点付けすることで仮止めする。
【００２６】
続いて、図３（ｃ）に示すように、補修用紙２０をシール３０の外面に重ね合わせる。その後、補修用紙２０の外面をアイロン等の加熱装置によって加熱し、シール３０を補修用紙２０の内面に熱融着させるとともに、シール３０を紙１０の外面に熱融着させる。これにより、補修用紙２０がシール３０を介して紙１０の外面に貼り付けられ、補修用紙２０によって切り抜き穴１２が塞がれる。
【００２７】
なお、本実施形態では、熱融着性のシール３０を用いて補修用紙２０を紙１０の外面に貼り付けているが、両面粘着性のシールを用いて補修用紙２０を紙１０の外面に貼り付けてもよい。
【００２８】
補修用紙２０によって切り抜き穴１２を塞いだ後に、巻取り紙１から下敷き板５０を取り除き、図４に示すように、リール２を巻き戻して、巻取り紙１とリール３との間の紙１０の弛みを除去して、紙１０の補修作業を完了する。そして、リール２から繰り出された紙１０をリール３に巻き直す。
これにより、紙１０の外面に貼り付けられた補修用紙２０によって、紙１０の切り抜き穴１２（図３（ｃ）参照）が塞がれている巻取り紙１が形成される。
【００２９】
以上のような巻取り紙１の補修方法および巻取り紙１では、図２（ｂ）に示すように、巻取り紙１の紙１０から欠陥部位１１を切り抜いているため、巻取り紙１の紙１０をロール状に連続させたままで欠陥部位１１を除去することができる。また、紙１０の欠陥部位１１を除去するために必要な最小限の領域が切り抜かれているため、図４に示すように、紙１０の補修部位を小さくすることができる。したがって、紙１０の欠陥部位を除去した部位を簡単に塞ぐとともに、紙１０の補修部位（補修用紙２０）を目立ち難くすることができる。
【００３０】
また、補修用紙２０は紙１０の外面のみに貼り付けられるため、紙１０の厚さの変化を小さくすることができる。したがって、巻取り紙１に印刷したときに、補修用紙２０とその他の紙面とで色の濃さに差が生じるのを防ぐことができ、印刷品質の劣化を抑えることができる。
【００３１】
また、図３（ｂ）に示すように、シール３０を切り抜き穴１２の周囲に貼り付けた後に、補修用紙２０をシール３０に貼り付けている。この構成では、切り抜き穴１２、シール３０および補修用紙２０の芯合わせを正確に行うことができるため、切り抜き穴１２および補修用紙２０からシール３０がはみ出してしまうのを防ぐことができる。
【００３２】
また、図３（ｃ）に示すように、補修用紙２０は円形であるため、角部を有する四角形や三角形などの形状の補修用紙に比べて、補修用紙２０の外周縁部の一部に応力が集中し難いため、補修用紙２０の外周縁部が紙から剥がれ難くなる。
【００３３】
以上、本発明の実施形態について説明したが、本発明は前記実施形態に限定されることなく、その趣旨を逸脱しない範囲で適宜に変更が可能である。
本実施形態では、図３（ｃ）に示すように、補修用紙２０が円形であるが、その形状は限定されるものではない。しかしながら、円形や楕円形のように角部が形成されない形状であることが望ましい。
【００３４】
また、本実施形態では、シール３０によって補修用紙２０が紙１０に貼り付けられているが、接着剤を用いて補修用紙２０を紙１０に貼り付けることもできる。
【００３５】
また、本実施形態では、図１（ａ）に示すように、新聞用紙である紙１０によって巻取り紙１が形成されているが、紙１０の用途は限定されるものではない。
【符号の説明】
【００３６】
１      巻取り紙
２      リール
３      リール
１０    紙
１１    欠陥部位
１２    切り抜き穴
２０    補修用紙
３０    シール
５０    下敷き板
【図１】
2015040355.tif 000003
【図２】
2015040355.tif 000004
【図３】
2015040355.tif 000005
【図４】
2015040355.tif 000006
【図５】
2015040355.tif 000007